(57)【特許請求の範囲】
【請求項１】
複数の基地局をグループ化し、このグループごとに呼出エリアを構成し、これらの呼出エリアごとに位置登録を行い、この位置登録された呼出エリアに属する基地局との間の無線接続制御を行う移動通信システムで使用される移動無線端末において、
各基地局がそれぞれ送信する無線信号の受信品質を監視することにより無線信号を受信可能な基地局を検索する検索手段と、
この検索手段により検索された複数の基地局について無線信号の受信品質をもとに選択優先順位を決定する優先順位決定手段と、
自端末が位置登録されている呼出エリアに属する第１の基地局群から送信された無線信号の受信品質を底上げ補正して、この底上げ補正後の第１の基地局群の受信品質と、その他の呼出エリアに属する第２の基地局群から送信された無線信号の受信品質とをもとに、前記優先順位決定手段により決定された各基地局の選択優先順位を補正する優先順位補正手段と、
この優先順位補正手段により補正された選択優先順位に従って、基地局を選択して前記無線接続制御を行う基地局選択手段と
を具備したことを特徴とする移動無線端末。
【請求項２】
前記優先順位補正手段は、第１の基地局群の受信品質を均一に底上げ補正し、この底上げ補正後の第１の基地局群の受信品質と前記第２の基地局群の受信品質とをもとに各基地局の選択優先順位を補正することを特徴とする請求項１記載の移動無線端末。
【請求項３】
前記優先順位補正手段は、第１の基地局群の受信品質を当該受信品質が高いほど大きな値で底上げ補正し、この底上げ補正後の第１の基地局群の受信品質と前記第２の基地局群の受信品質とをもとに各基地局の選択優先順位を補正することを特徴とする請求項１記載の移動無線端末。
【請求項４】
前記優先順位補正手段は、受信品質が予め設定した値以上の第１の基地局群についてその受信品質の底上げ補正を行うことを特徴とする請求項１記載の移動無線端末。
【請求項５】
複数の基地局をグループ化し、このグループごとに呼出エリアを構成し、これらの呼出エリアごとに位置登録を行い、その位置登録された呼出エリアに属する基地局との間の無線接続制御を行う移動通信システムで使用される移動無線端末の基地局選択方法において、
各基地局がそれぞれ送信する無線信号の受信品質を監視することにより、無線信号を受信可能な基地局を検索し、
検索された複数の基地局について無線信号の受信品質をもとに選択優先順位を決定し、
自端末が位置登録されている呼出エリアに属する第１の基地局群から送信された無線信号の受信品質を底上げ補正し、この底上げ補正後の第１の基地局群の受信品質と、その他の呼出エリアに属する第２の基地局群から送信された無線信号の受信品質とをもとに、前記決定された各基地局の選択優先順位を補正し、
前記補正された選択優先順位に従って、基地局を選択して前記無線接続制御を行うことを特徴とする移動無線端末の基地局選択方法。
【発明の詳細な説明】
【０００１】
【発明の属する技術分野】
この発明は、例えばＰＨＳ（Personal Handyphone System）のように一斉呼出エリアを有するセルラ移動通信システムにおいて、移動無線端末として使用される移動無線端末とその基地局選択方法に関する。
【０００２】
【従来の技術】
セルラ移動通信システムには、例えばＰＨＳのようにサービスエリアに分散配置された多数の基地局を所定のエリアごとにグループ化し、これらのグループごとに移動無線端末の位置管理を行うようにしたシステムがある。
【０００３】
図９はその構成の一例を示すもので、基地局はＣＳ１１〜ＣＳ１ｎ，ＣＳ２１〜ＣＳ２ｍ，…ごとにグループ化されて各々エリアＥ１，Ｅ２，…を構成している。また各基地局ＣＳ１１〜ＣＳ１ｎ，ＣＳ２１〜ＣＳ２ｍ，…は、グループごとに移動通信網ＮＷ１，ＮＷ２，…に収容され、さらに上位網ＮＷを介して相互に接続されている。なお、ＰＨＳでは上記各グループに対応するエリアのことを一斉呼出エリアと呼んでいる。
【０００４】
そして、移動無線端末ＰＳａに対し着呼する場合には、当該移動無線端末ＰＳａが位置する一斉呼出エリアＥ１の全ての基地局ＣＳ１１〜ＣＳ１ｎから着呼信号を一斉に送信し、移動無線端末ＰＳａに着呼信号を受信させる。そして、着呼信号を受信した移動無線端末ＰＳａが送信元の基地局（例えばＣＳ１２）へリンクチャネル確立要求を送信することで、当該基地局ＣＳ１２と着呼先の移動無線端末ＰＳａとの間に無線リンクを形成し、以後所定の着呼手順を実施したのち無線通信を可能にしている。
【０００５】
一方、移動無線端末ＰＳａの発呼時に、受信レベルが最も大きい電波を送信している基地局（例えばＣＳ１２）を選択し、この基地局ＣＳ１２に対しリンクチャネル確立要求を送信する動作を行うことがある。この場合、この要求を受けた基地局ＣＳ１２が発呼元の移動無線端末ＰＳａに対しリンクチャネルの割当てを行って移動無線端末ＰＳａとの間に無線リンクを形成し、以後所定の発呼手順を行ったのち無線通信を可能にする。
【０００６】
さらに、通信中に移動無線端末ＰＳａが移動して接続先の基地局を切り替える、いわゆるハンドオーバを行う場合には、移動無線端末ＰＳａにおいて周辺のすべての基地局を検索し、受信レベルの最も大きい電波を送信している基地局（例えばＣＳ１１）をハンドオーバ先として選択して、この基地局ＣＳ１１へリンクチャネル確立要求を送信する。そして、この要求を受信した基地局ＣＳ１１が要求元の移動無線端末ＰＳａに対しリンクチャネルの割当てを行って移動無線端末ＰＳａとの間に新たな無線リンクを形成し、以後移動無線端末ＰＳａと移動先の基地局ＣＳ１１との間で所定の接続切替手順を行ったのち接続先の基地局が切り替わる。
【０００７】
すなわち、発呼する場合やハンドオーバを行う場合に移動無線端末は、受信レベルの最も大きい基地局、つまり移動無線端末に最も近い基地局を無条件に選択して、この基地局に対し発呼又はハンドオーバのためのリンクチャネル確立要求を送信するようにしている。
【０００８】
ところがこのようなシステムでは、例えば移動無線端末が図９のＰＳｂのように複数の一斉呼出エリアＥ１，Ｅ２の境界付近に位置している場合等において、発呼先又はハンドオーバ先の基地局として、自局ＰＳｂが位置登録中の一斉呼出エリアＥ１とは異なる他の一斉呼出エリアＥ２に属する基地局ＣＳ２２を選択してしまう場合がある。この場合には、接続制御処理のための制御信号が上位網ＮＷを経由して移動通信網ＮＷ１，ＮＷ２間で授受されることになり、以下のような種々問題を生じる。
【０００９】
すなわち、上位網ＮＷを経由することで接続制御処理に要する時間が長くなるため、通信途絶時間が長くなって通信品質の劣化を招く。例えば、通信途絶時間は一般に２〜３秒以上にもなるため、ユーザによっては通信切断と勘違いして終話操作を行ってしまうことがあり非常に好ましくない。一方、通信事業者にとっては、接続制御処理ごとに上位網ＮＷが使用されることにより上位網ＮＷのトラフィックが増加して上位網ＮＷの負担が増加する。また通信事業者によっては、上位網ＮＷに他社の網を利用している場合があり、このような場合には１回の接続制御処理を行うごとに他社から課金されることになり、ランニングコストが増える。
【００１０】
【発明が解決しようとする課題】
以上述べたように従来のシステムでは、移動無線端末が発呼先又はハンドオーバ先の基地局として、受信レベルの最も大きい基地局を無条件に選択するようにしている。このため、例えば移動無線端末が複数の一斉呼出エリアの境界付近に位置するような場合に、自局が位置登録中の一斉呼出エリアとは異なる他の一斉呼出エリアの基地局を選択して発呼又はハンドオーバを行ってしまうことがある。これは、ユーザの通信品質の劣化を招いたり、上位網のトラフィックの増大や事業者のランニングコストの増加を招く一因になり、非常に好ましくない。
【００１１】
この発明は上記事情に着目してなされたもので、その目的とするところは、発呼又はハンドオーバ時における接続制御処理の所要時間を短縮して通信品質の向上を図り、かつ接続制御処理に係わる網側の負担を軽減することが可能な移動無線端末とその基地局選択方法を提供することにある。
【００１２】
【課題を解決するための手段】
上記目的を達成するためにこの発明は、複数の基地局をグループ化し、このグループごとに呼出エリアを構成し、これらの呼出エリアごとに位置登録を行い、この位置登録された呼出エリアに属する基地局との間の無線接続制御を行う移動通信システムで使用される移動無線端末において、
各基地局がそれぞれ送信する無線信号の受信品質を監視することにより無線信号を受信可能な基地局を検索する検索手段と、この検索手段により検索された複数の基地局について無線信号の受信品質をもとに選択優先順位を決定する優先順位決定手段と、自端末が位置登録されている呼出エリアに属する第１の基地局群から送信された無線信号の受信品質を底上げ補正して、この底上げ補正後の第１の基地局群の受信品質と、その他の呼出エリアに属する第２の基地局群から送信された無線信号の受信品質とをもとに、上記優先順位決定手段により決定された各基地局の選択優先順位を補正する優先順位補正手段と、この優先順位補正手段により補正された選択優先順位に従って、基地局を選択して前記無線接続制御を行う基地局選択手段とを備えたことをと特徴とするものである。
たものである。
【００１４】
上記底上げ補正処理の具体例としては、第１の基地局群の受信品質を均一に底上げ補正するものと、第１の基地局群の受信品質を当該受信品質が高いほど大きな値で底上げ補正するものが考えられる。また、上記底上げ補正は、受信品質が予め設定した値以上の第１の基地局群についてのみ行うようにするとよい。
【００１５】
この発明によれば、第１の基地局群の受信品質と第２の基地局群の受信品質とが同程度か、又は第２の基地局群の受信品質が第１の基地局群の受信品質よりも若干高い場合でも、第１の基地局群の受信品質が底上げ補正されることにより、第１の基地局群の選択優先順位が第２の基地局群のそれに比べ高くなるように補正される。このため、接続先の基地局として、他の呼出エリアに属する第２の基地局群に比べて第１の基地局群が選択され易くなり、この結果同一エリア内の基地局に対し発呼処理又はハンドオーバ処理が行われる確率を高くすることができる。
【００１６】
従って、接続制御処理が上位網を経由して行われる確率が減少し、これにより接続制御処理時間の平均時間は短縮される。このため、特にハンドオーバにおける通信途絶時間の短縮が図られ、これによりユーザの通信品質を高めることができる。一方、通信事業者にとっては、接続制御処理のために上位網が使用される回数が減るため、上位網のトラフィックを抑圧して網の負担を軽減することができる。また上位網として他社の網を利用している通信事業者にあっては、接続制御処理に要する通信費を圧縮してランニングコストを削減することが可能となる。
【００１７】
【発明の実施の形態】
以下、この発明の実施形態につき図面を参照して説明する。
図１は、この発明に係わる移動無線端末の一実施形態であるＰＨＳ端末の構成を示す回路ブロック図である。なお、ＰＨＳの全体構成については、図９に示した構成を例にとって説明を行う。
【００１８】
ＰＨＳ端末は、アンテナ１１を備えた無線部１と、モデム部２と、ＴＤＭＡ部３と、通話部４と、制御部５と、情報記憶部６と、データ通信部７と、キーパッドを備えた入力部８と、液晶表示器（ＬＣＤ）を使用した表示部９とを備えている。
【００１９】
すなわち、図示しない基地局から到来した無線搬送波信号は、アンテナ１１で受信されたのち無線部１の高周波スイッチ（ＳＷ）１２を介して受信部１３に入力される。この受信部１３では、上記受信された無線搬送波信号がシンセサイザ１４から発生された局部発振信号とミキシングされて受信中間周波信号にダウンコンバートされる。なお、上記シンセサイザ１４から発生される局部発振信号周波数は、制御部５の指示により無線チャネル周波数に対応する値に設定される。また、無線部１には受信電界強度検出部（ＲＳＳＩ）１６が設けられている。この受信電界強度検出部１６では、通信中の基地局又は周辺の基地局から到来した無線搬送波信号の受信電界強度が検出され、その検出値は例えば受信品質の判定及び表示を行うために制御部５に通知される。
【００２０】
上記受信部１３から出力された受信中間周波信号は、モデム部２の復調部２１に入力される。復調部２１では上記受信中間周波信号のディジタル復調が行なわれ、これによりディジタル復調信号が再生される。
【００２１】
ＴＤＭＡ部３のＴＤＭＡデコード部３１は、上記ディジタル復調信号を各受信タイムスロットごとに分離する。そして、分離したスロットのデータが音声データであればこの音声データをインタフェース部４に入力する。一方、分離したスロットのデータがパケットデータや制御データであれば、これらのデータをデータ通信部７に入力する。
【００２２】
通話部４は、ＡＤＰＣＭ（Adaptive Differential Pulse Code Modulation）トランスコーダ４１と、ＰＣＭコーデック４２と、スピーカ４３と、マイクロホン４４とを備えている。ＡＤＰＣＭトランスコーダ４１は、上記ＴＤＭＡデコード部３１から出力された音声データを復号する。ＰＣＭコーデック４２は、上記ＡＤＰＣＭトランスコーダ４１から出力されたディジタル音声信号をアナログ信号に変換し、この音声信号をスピーカ４３から拡声出力する。
【００２３】
データ通信部７は、上記ＴＤＭＡデコード部３１から供給されたデータを受信し、このデータを制御部５に供給する。制御部５は受信データが制御データであればこの制御データを解析して必要な制御を行う。これに対し受信データがサーバ等から到来したパケットデータであれば、このパケットデータをデパケットしたのち情報記憶部６に記憶すると共に、表示部９に供給して表示させる。
【００２４】
一方、マイクロホン４４に入力されたユーザの音声信号は、ＰＣＭコーデック４２でＰＣＭ符号化されたのちＡＤＰＣＭトランスコーダ４１でさらに圧縮符号化される。そして、この符号化音声データはＴＤＭＡエンコード部３２に入力される。また制御部５から出力された制御データやパケットデータは、データ通信部７を経て上記ＴＤＭＡエンコード部３２に入力される。
【００２５】
ＴＤＭＡエンコード部３２は、上記ＡＤＰＣＭトランスコーダ４１から出力された各チャネルのディジタル音声データ、およびデータ通信部７から出力された制御データやパケットデータを、制御部５から指示された送信タイムスロットに挿入して多重化する。変調部２２は、上記ＴＤＭＡエンコード部３２から出力された多重化ディジタル通信信号により送信中間周波信号をディジタル変調し、この変調した送信中間周波信号を送信部１５に入力する。
【００２６】
送信部１５は、上記変調された送信中間周波信号をシンセサイザ１４から発生された局部発振信号とミキシングして無線搬送波周波数にアップコンバートし、さらに所定の送信電力レベルに増幅する。この送信部１５から出力された無線搬送波信号は、高周波スイッチ１２を介してアンテナ１１から図示しない基地局に向け送信される。
【００２７】
ところで、制御部５は例えばマイクロコンピュータを主制御部として備えたもので、この発明に係わる制御機能としてハンドオーバ／発呼制御手段５１と、優先順位データ補正手段５２とを備えている。
【００２８】
このうち先ずハンドオーバ／発呼制御手段５１は、発呼時及びハンドオーバ時において、複数の周辺基地局からの無線搬送波信号の受信レベル（ＲＳＳＩ値）をそれぞれ測定することで接続先の候補となり得る周辺基地局を検索し、この検索された周辺基地局に対する選択優先順位をその受信レベルに基づいて決定する。そして、この決定した選択優先順位のデータをもとに発呼先又はハンドオーバ先として最適な基地局を選択し、この選択した基地局との間で無線リンクチャネルを確立した上で発呼制御又はハンドオーバ制御を実行する。
【００２９】
優先順位データ補正手段５２は、上記ハンドオーバ／発呼制御手段５１において周辺基地局の選択優先順位を決定する際に、検索された複数の周辺基地局を、自己のＰＨＳ端末が現時点で位置登録されている一斉呼出エリアに属する第１の基地局群と、その他の一斉呼出エリアに属する第２の基地局群とに分ける。そして、第１の基地局群の各受信レベルを、予め用意した受信レベル補正テーブルの補正データに基づいて底上げ補正し、この底上げ補正後の受信レベルをもとに各基地局の選択優先順位を決定する。
【００３０】
次に、以上のように構成されたＰＨＳ端末のハンドオーバ制御動作及び発呼制御動作を説明する。図２は、制御部５の制御手順及び制御内容を示すフローチャートである。
【００３１】
すなわち、通信中においてＰＨＳ端末（例えばＰＳｂ）は、接続中の基地局（例えばＣＳ１１）から到来する無線搬送波信号の受信レベルをステップ２ａで検出し、この受信レベルの検出値が予め設定したしきい値以下に低下したか否かを判定している。そして、受信レベル検出値（ＲＳＳＩ値）がしきい値以下に低下すると、ハンドオーバの必要があると判断してステップ２ｃに移行し、ここで先ず周辺基地局の検索を行う。この周辺基地局の検索は、アイドルスロット期間を利用して、周辺の各基地局から到来する無線搬送波信号の受信レベル（ＲＳＳＩ値）をそれぞれ検出し、接続が可能なレベル以上の周辺基地局を抽出することにより行われる。
【００３２】
次に、ＰＨＳ端末ＰＳｂはステップ２ｄに移行し、ここで接続先基地局の選択優先順位を表すデータを作成する。図３はこの選択優先順位データの作成処理手順と処理内容を示すフローチャートである。
【００３３】
すなわち、制御部５は先ずステップ３ａにおいて、上記ステップ２ｃで得た周辺基地局の検索結果をもとに、検索されたすべての周辺基地局の識別情報（ＣＳ−ＩＤ）と受信レベル（ＲＳＳＩ値）との組み合わせを表すデータを作成する。例えば、いま周辺基地局として図５に示すように基地局ＣＳ１２，ＣＳ１３，ＣＳ２１，ＣＳ２２，ＣＳ２３が検索されたとすれば、これらの周辺基地局ＣＳ１２，ＣＳ１３，ＣＳ２１，ＣＳ２２，ＣＳ２３のＣＳ−ＩＤとＲＳＳＩ値の組み合わせデータを作成して情報記憶部６に記憶する。
【００３４】
次に制御部５は、ステップ３ｂで上記組み合わせデータの中から任意の周辺基地局（例えばＣＳ１２）のＣＳ−ＩＤとＲＳＳＩ値を抽出する。そして、当該周辺基地局ＣＳ１２が、自己のＰＨＳ端末ＰＳｂが位置登録中の一斉呼出エリアＥ１に対応する第１の基地局群に含まれるものか否かをステップ３ｃで判定する。この判定の結果、上記抽出した周辺基地局ＣＳ１２が第１の基地局群に含まれる場合には、ステップ３ｄに移行して情報記憶部６に予め記憶されている受信レベル補正テーブルをもとにＲＳＳＩ値を補正する。
【００３５】
例えば、いま受信レベル補正テーブルとして図４に示すようなデータが記憶されており、この状態で上記周辺基地局ＣＳ１２のＲＳＳＩ値が４０dBμＶだったとすれば、当該周辺基地局ＣＳ１２のＲＳＳＩ値は５０dBμＶに補正される。また、抽出した周辺基地局ＣＳ１３のＲＳＳＩ値がさらに大きな値である５０dBμＶだったとすれば、当該周辺基地局ＣＳ１３のＲＳＳＩ値は６４dBμＶに補正される。図５に示す波線は、この補正後の周辺基地局ＣＳ１２，ＣＳ１３のＲＳＳＩ値を示すものである。
【００３６】
ここで、本実施形態における受信レベルの補正特性は、図４及び図５に示したようにＲＳＳＩ値が大きくなるに従ってＲＳＳＩの補正量（底上げ量）が大きくなるように設定してある。これは、ＲＳＳＩ値の大きい基地局ほど選択優先順位が高くなるようにしてＰＨＳ端末の在圏エリアの基地局を選択し易くし、一方ＲＳＳＩ値が小さい基地局ほど選択優先順位が下位になるようにして、在圏エリア及びそれ以外のエリアを問わず少しでもＲＳＳＩ値の高い周辺基地局が選択されるようにするためである。
【００３７】
これに対し、抽出した周辺基地局が、例えば基地局ＣＳ２１〜ＣＳ２３のように他の一斉呼出エリアＥ２に含まれるものであれば、制御部５はＲＳＳＩ値の補正処理を行わずにそのままステップ３ｅに移行する。すなわち、他の一斉呼出エリアに属する周辺基地局に対しては、図５の基地局ＣＳ２１〜ＣＳ２３のようにＲＳＳＩ値の補正は行わない。
【００３８】
そうして、抽出した１個の周辺基地局に対するＲＳＳＩ値の補正処理が終了すると、制御部５はステップ３ｅに移行し、ここで当該基地局に対しその補正後のＲＳＳＩ値と他の周辺基地局のＲＳＳＩ値とを比較することにより選択優先順位を付ける。そして、ステップ３ｆで前記検索された複数の周辺基地局のすべてについて抽出を行ったか否かを判定し、未抽出の周辺基地局が残っている場合にはステップ３ｂに戻り、上記ステップ３ｃからステップ３ｅによるＲＳＳＩ値の補正処理及び選択優先順位の付与処理を行う。以後同様に、未抽出の周辺基地局がなくなるまで、抽出した各周辺基地局に対する上記ＲＳＳＩ値の補正処理及び選択優先順位の付与処理を繰り返す。
【００３９】
そして、検索したすべての周辺基地局ＣＳ１２，ＣＳ１３，ＣＳ２１，ＣＳ２２，ＣＳ２３に対するＲＳＳＩ値の補正の要否判定と、補正が必要な場合の補正処理が終了すると、制御部５はステップ３ｇで接続先基地局を選択するための優先順位データを作成する。例えば、周辺基地局ＣＳ１２，ＣＳ１３，ＣＳ２１，ＣＳ２２，ＣＳ２３の補正後のＲＳＳＩ値が図５に示すような関係になった場合には、選択優先順位は丸数字１〜５に示すように設定される。
【００４０】
上記選択優先順位データの作成を完了すると制御部５は、続いてステップ２ｅに移行し、ここで上記選択優先順位データをもとに優先順位第一位の基地局をハンドオーバ先の基地局として選択し、この選択した基地局との間で無線リンクチャネルを確立するための手順を実行する。例えば、図５に示した例では一斉呼出エリアＥ１の基地局ＣＳ１３が選択され、この基地局ＣＳ１３との間で無線リンクチャネルの確立制御手順が行われる。そして、この無線リンクチャネルの確立制御手順によりハンドオーバ先の基地局ＣＳ１３との間が無線チャネルを介して接続されると、制御部５はステップ２ｆからステップ２ｈに移行して以後ハンドオーバ手順を実行する。
【００４１】
これに対し、上記優先順位第一位の基地局ＣＳ１３との間で無線リンクチャネルを確立できなかった場合には、制御部５はステップ２ｇに移行してここで上記選択優先順位データをもとに優先順位第二位の基地局をハンドオーバ先の基地局として選択し、この選択した基地局との間で無線リンクチャネルを確立するための手順を実行する。例えば図５に示した例では一斉呼出エリアＥ２の基地局ＣＳ２３が選択され、この基地局ＣＳ２３との間で無線リンクチャネルの確立制御手順が行われる。
【００４２】
なお、この場合には上位網ＮＷを経由して移動通信網ＮＷ１，ＮＷ２間で接続制御信号の授受が行われることになる。しかし、ＰＨＳ端末ＰＳｂは受信レベルが最も大きい基地局ＣＳ２３に接続されることになるため、接続後は無線チャネルの切断等が生じず、かつＳ／Ｎが良好で高品質の無線通信が確保される。
【００４３】
以上、ハンドオーバの場合について述べたが、発呼の場合もほぼ同様である。ただし、発呼の場合には図２に示すようにステップ２ｉでユーザの発呼操作を監視し、発呼操作の検出に応じてステップ２ｃによる周辺基地局の検索処理に移行する。以後の処理手順及び処理内容は、先に述べたハンドオーバの制御手順及び制御内容と同じである。
【００４４】
以上述べたようにこの実施形態では、ハンドオーバ及び発呼時において、周辺基地局を検索し、これにより得られた各周辺基地局ＣＳ１２，ＣＳ１３，ＣＳ２１，ＣＳ２２，ＣＳ２３のうち、自己のＰＨＳ端末ＰＳｂが位置登録中の一斉呼出エリアＥ１に属する基地局ＣＳ１２，ＣＳ１３について、受信レベル補正テーブルに従ってＲＳＳＩ値を底上げ補正する。そして、この補正後のＲＳＳＩ値に従い、検索された上記各周辺基地局に対し選択優先順位を付し、選択優先順位が第一位の基地局ＣＳ１３を選択して無線リンクチャネルの確立を行うようにしている。
【００４５】
従って、例えば図５に示した場合のように、自端末ＰＳｂが位置登録中の一斉呼出エリアＥ１に属する基地局ＣＳ１２，ＣＳ１３よりも、受信レベルの高い基地局ＣＳ２３が他の一斉呼出エリアＥ２に存在する場合でも、上記底上げ補正により基地局ＣＳ１３の選択優先順位が基地局ＣＳ２３よりも高くなるように補正される。このためＰＨＳ端末ＰＳｂは、自己が位置登録中の一斉呼出エリアＥ１の基地局ＣＳ１３を選択優先順位第一位として選択して無線リンクチャネルを確立することが可能となる。
【００４６】
従って、この場合接続制御処理は上位網ＮＷを経由せずに行うことができ、これにより接続制御処理に要する時間は短縮される。このため、ハンドオーバにおける通信途絶時間の短縮が図られ、これによりユーザの通信品質を高めることができる。
【００４７】
一方、通信事業者にとっては、上位網ＮＷ経由せずに接続制御処理を行うことができるので、上位網ＮＷのトラフィックを抑圧して網側の負担を軽減することができる。また上位網ＮＷとして他社の網を利用している通信事業者にあっては、接続制御処理に要する通信費を圧縮してランニングコストを削減することが可能となる。
【００４８】
さらに本実施形態では、上記受信レベルの補正特性を図４及び図５に示したようにＲＳＳＩ値が大きくなるに従ってＲＳＳＩ値の底上げ値が大きくなるように設定している。こうすることによって、ＲＳＳＩ値の大きい基地局ほど選択優先順位を高くすることができ、これによりＰＨＳ端末ＰＳｂは自端末が位置登録中の一斉呼出エリアＥ１の基地局を優先的に選択することができる。一方、ＲＳＳＩ値が小さい基地局ほど選択優先順位が下位になるため、ＰＨＳ端末ＰＳｂが位置登録中のエリアＥ１であるか又はそれ以外のエリアＥ２であるかを問わず、少しでもＲＳＳＩ値の高い周辺基地局が選択されるようにすることができ、これにより無線チャネルの接続安定度をより高く保持することができる。
【００４９】
なお、この発明は上記実施形態に限定されるものではない。例えば、受信レベルを底上げ処理するための補正特性は、図６に示すように受信レベルが所定レベルＬ１以上の基地局に対してのみ、受信レベルに比例して底上げ値が増加するように設定してもよい。このような補正特性を用いると、受信レベルが接続先として有効なレベルを超える基地局に対してのみ受信レベルの底上げ補正を行うことができる。
【００５０】
また受信レベルの補正特性は、図７に示すように受信レベルが所定レベルＬ１未満の基地局に対しては底上げ値をゼロとするか又は最小値に設定し、かつ受信レベルが所定レベルＬ２以上の基地局に対しては一律に最大の底上げ値を与えるように設定してもよい。
【００５１】
さらに受信レベルの補正特性は、図８に示すようにすべての基地局に対し、予め設定した底上げ値を受信レベルの大小に関係なく一律に与えるように設定してもよい。
【００５２】
また、前記実施形態では位置登録中の一斉呼出エリアＥ１に属する第１の基地局ＣＳ１２，ＣＳ１３の受信レベルを底上げ補正することによりその選択優先順位を相対的に高めるようにしたが、代わりに他の一斉呼出エリアＥ２に属する第２の基地局ＣＳ２１，ＣＳ２２，ＣＳ２３の受信レベルを減じることにより、第１の基地局ＣＳ１２，ＣＳ１３の選択優先順位を相対的に高めるようにしてもよい。さらに、位置登録されている一斉呼出エリアＥ１における基地局の受信レベルの底上げ処理と、他の一斉呼出エリアＥ２，Ｅ３，…での受信レベルの低減（足切り）処理との両方をそれぞれ行うことで、受信レベルを補正するようにしてもよい。
【００５３】
さらに、前記実施形態では周辺基地局からの無線搬送波信号の受信レベル（ＲＳＳＩ値）を受信品質を表す情報として検出し、これをもとに選択優先順位を決定するようにしたが、周辺基地局から受信した信号のフレーム・エラー・レシオ（ＦＥＲ）を受信品質を表すデータとして検出し、これをもとに選択優先順位を決定するようにしてもよい。またＲＳＳＩ値及びＦＥＲを両方とも検出して、これらの検出結果に基づいて受信品質を判定し、この判定結果をもとに選択優先順位を決定するようにしてもよい。
【００５４】
さらに、前記実施形態ではＰＨＳを例にとって説明したが、複数の基地局により共通のエリアを形成する移動通信システムであれば、その他のシステムにもこの発明を適用することができる。その他、移動無線端末の回路構成や、ハンドオーバ及び発呼の制御手順と制御内容、選択優先順位の決定手段及びその補正手段の手順と内容等についても、この発明の要旨を逸脱しない範囲で種々変形して実施できる。
【００５５】
【発明の効果】
以上詳述したようにこの発明では、各基地局がそれぞれ送信する無線信号の受信品質を監視することにより自装置の周辺に位置する複数の基地局を検索し、この検索された複数の基地局についてその受信品質をもとに選択優先順位を決定して、この決定された選択優先順位に従って接続先として適当な基地局を選択して上記無線接続制御を実行させる移動無線端末にあって、選択優先順位補正手段を新たに設けている。そして、この選択優先順補正手段により、自端末が位置登録されている呼出エリアに属する第１の基地局群から送信された無線信号の受信品質を底上げ補正し、この底上げ補正後の第１の基地局群の受信品質と、その他の呼出エリアに属する第２の基地局群から送信された無線信号の受信品質とをもとに、上記決定された各基地局の選択優先順位を補正するようにしている。
【００５６】
したがってこの発明によれば、発呼又はハンドオーバ時における接続制御処理の所要時間を短縮して通信品質の向上を図り、かつ接続制御処理に係わる網側の負担を軽減することが可能な移動無線端末とその基地局選択方法を提供することができる。
【図面の簡単な説明】
【図１】  この発明に係わる移動無線端末の一実施形態であるＰＨＳ端末の構成を示す回路ブロック図。
【図２】  図１に示したＰＨＳ端末の制御部によるハンドオーバ及び発呼制御の手順及び制御内容を示すフローチャート。
【図３】  図２に示した制御手順のうち選択優先順位データの作成処理手順と処理内容を示すフローチャート。
【図４】  受信レベル補正テーブルの一例を示す図。
【図５】  周辺基地局からの受信レベルと選択優先順位の決定結果の一例を示す図。
【図６】  補正特性の一例を示す図。
【図７】  補正特性の他の例を示す図。
【図８】  周辺基地局からの受信レベルと選択優先順位の決定結果の他の例を示す図。
【図９】  ＰＨＳの構成の一例を示す概略図。
【符号の説明】
ＮＷ…上位網
ＮＷ１，ＮＷ２…移動通信網
Ｅ１，Ｅ２…一斉呼出エリア
ＣＳ１１〜ＣＳ１ｎ，ＣＳ２１〜ＣＳ２ｍ…基地局
ＰＳａ，ＰＳｂ…移動無線端末（ＰＨＳ端末）
１…無線部
２…モデム部
３…ＴＤＭＡ部
４…通話部
５…制御部
６…情報記憶部
７…データ通信部
８…入力部
９…表示部
１１…アンテナ
１２…高周波スイッチ（ＳＷ）
１３…受信部
１４…シンセサイザ
１５…送信部
１６…受信電界強度検出部（ＲＳＳＩ）
２１…復調部
２２…変調部
３１…ＴＤＭＡデコード部
３２…ＴＤＭＡエンコード部
４１…ＡＤＰＣＭトランスコーダ
４２…ＰＣＭコーデック
４３…スピーカ
４４…マイクロホン
５１…ハンドオーバ／発呼制御手段
５２…優先順位データ補正手段
【図１】
0004256020.tif 000002
【図２】
0004256020.tif 000003
【図３】
0004256020.tif 000004
【図４】
0004256020.tif 000005
【図５】
0004256020.tif 000006
【図６】
0004256020.tif 000007
【図７】
0004256020.tif 000008
【図８】
0004256020.tif 000009
【図９】
0004256020.tif 000010